(57)【要約】【課題】少なくとも二枚のピエゾ素子が対向しているピエゾモーターに対して、ピエゾモーターの性能を低下させずに、ピエゾモーターに対する固定性を高めることができるピエゾモーター保持部材を提供することを目的とする。【解決手段】第１ピエゾモーター保持部材２４は、第１ピエゾモーター２３の三枚のピエゾ素子２３３を囲むように構成されている。そして、第１ピエゾモーター保持部材２４の内壁面２４ａには、突起２４１、２４２が設けられている。これらの突起２４１、２４２は、第１ピエゾモーター保持部材２４の三枚のピエゾ素子２３３の節部２３３ａ、２３３ｂのみを保持するように構成されている。そして、第１ピエゾモーター２３は、これらの節部２３３ａ、２３３ｂのみで第１ピエゾモーター保持部材２４に固定されている。【選択図】図４
2008167605.tif 000002
【特許請求の範囲】
【請求項１】
ピエゾモータを用いて被駆動物をスライド移動させるために用いられるピエゾモータ保持部材であって、
前記ピエゾモーターは直方体であって、リードスクリューと、該リードスクリューに螺合されたナットと、該ナットの外周部に設けられた少なくとも二枚のピエゾ素子とからなり、当該少なくとも二枚のピエゾ素子は、当該ナットの外周部の対向側に配置され、
前記ピエゾモータ保持部材は、内部に前記ピエゾモーターが収容されるように構成されるとともに、内壁面に突起が設けられ、該突起が、当該ピエゾモーター保持部材の内部に前記ピエゾモーターが収容された状態で前記少なくとも二枚のピエゾ素子の各振動の節部のみを保持することにより、当該ピエゾモーターを固定するように構成されたことを特徴とするピエゾモーター保持部材。
【請求項２】
前記突起は、前記少なくとも二枚のピエゾ素子の各振動の節部のみを圧接して挟持することにより保持したことを特徴とする請求項１に記載のピエゾモーター保持部材。
【請求項３】
前記突起は、前記少なくとも二枚のピエゾ素子の各振動の節部のみを接着剤を用いて保持したことを特徴とする請求項１に記載のピエゾモーター保持部材。
【請求項４】
前記ピエゾモーターは、四枚のピエゾ素子を有し、該四枚のピエゾ素子は、前記ナットの外周部の上下左右側に設けられ、
前記ピエゾモータ保持部材は、前記四枚のピエゾ素子の内の三枚のピエゾ素子を囲むような形状を有し、前記突起は、当該三枚のピエゾ素子の各振動の節部のみを保持するように構成されたことを特徴とする請求項２又は請求項３に記載のピエゾモーター保持部材。
【発明の詳細な説明】
【技術分野】
【０００１】
本件発明は、ピエゾモータを用いて、例えば撮像装置用のレンズ群をスライド移動させるために用いられるピエゾモータ保持部材に関する。
【背景技術】
【０００２】
従来より、デジタルカメラ等の撮像装置においては、レンズ群が光軸方向に移動する方式が多く採用されている。レンズ群は、一般的にレンズ群保持枠で保持されている。そして、レンズ群保持枠が、筺体に設けられたガイド部材により、光軸に沿ってスライド移動するように配置されている。
【０００３】
また、最近の撮像装置には、レンズ群保持枠を駆動する駆動源としてピエゾモーターが使用されている（特許文献１参照）。このピエゾモーターは直方体であって、リードスクリューと、ナットと、四枚のピエゾ素子とから構成されている。ナットは、リードスクリューに螺合されている。そして、ピエゾ素子は、ナットの外周部に設けられている。
【０００４】
また、最近の撮像装置には、このピエゾモーターを用いてレンズ群保持枠を駆動するために、ピエゾモーター保持部材が使用されている。このピエゾモーター保持部材は、ピエゾモーターを収容する部材である。具体的には、このピエゾモーター保持部材は、内壁面にピエゾ素子を固定させている。
【０００５】
そして、このピエゾモーターを用いてレンズ群保持枠を駆動させるには、まずピエゾ素子に駆動電源及び制御信号が供給される。これにより、ピエゾ素子が振動してリードスクリューが正逆方向に回転する。このリードスクリューの回転により、ナットがリードスクリュー上を移動する。これに伴ってピエゾモーター保持部材が移動することにより、レンズ群保持枠が移動する。しかし、ピエゾ素子は、ピエゾモーター保持部材に固定された状態では振動が妨げられてしまう。これを解決するために、例えば、特許文献２に記載されたピエゾモーター保持部材が提案されている。
【０００６】
特許文献２に記載されたピエゾモーター保持部材では、ピエゾモーターをピエゾ素子の振動の節部のみで固定させている。ここで、ピエゾ素子の振動の節部とは、ピエゾ素子において振動の幅が小さい部分である。そして、ピエゾモーター保持部材をこのように構成することで、ピエゾモーターは、ピエゾ素子の特性が低下しない。言い換えれば、ピエゾモーターの性能が低下しない。したがって、このピエゾモーター保持部材を用いることにより、レンズ群保持枠が効率良く駆動することが可能になる。
【０００７】
【特許文献１】米国特許６９４０２０９号公報
【特許文献１】特開平８−３２１３５号公報
【発明の開示】
【発明が解決しようとする課題】
【０００８】
特許文献２に記載されたピエゾモーター保持部材では、保持部材の一面側でピエゾ素子の節部を固定させている。このため、このピエゾモーター保持部材は、例えば、一面側にピエゾ素子が二枚並べられたピエゾモーターには対応することは可能である。しかし、特許文献１に記載されたピエゾモーター、すなわち、少なくとも二枚のピエゾ素子が対向しているピエゾモーターに対しては、ピエゾモーターの性能を低下させずに、安定して固定することができなかった。
【０００９】
本件発明は、かかる従来の課題に鑑みてなされたものであり、少なくとも二枚のピエゾ素子が対向しているピエゾモーターに対して、ピエゾモーターの性能を低下させずに、ピエゾモーターに対する固定性を高めることができるピエゾモーター保持部材を提供することを目的とする。
【課題を解決するための手段】
【００１０】
そこで、本件発明者等は、鋭意研究の結果、前記課題を解決するために以下のようなピエゾモーター保持部材を採用した。
【００１１】
本件発明のピエゾモーター保持部材は、ピエゾモータを用いて被駆動物をスライド移動させるために用いられるピエゾモータ保持部材であって、前記ピエゾモーターは直方体であって、リードスクリューと、該リードスクリューに螺合されたナットと、該ナットの外周部に設けられた少なくとも二枚のピエゾ素子とからなり、当該少なくとも二枚のピエゾ素子は、当該ナットの外周部の対向側に配置され、前記ピエゾモータ保持部材は、内部に前記ピエゾモーターが収容されるように構成されるとともに、内壁面に突起が設けられ、該突起が、当該ピエゾモーター保持部材の内部に前記ピエゾモーターが収容された状態で前記少なくとも二枚のピエゾ素子の各振動の節部のみを保持することにより、当該ピエゾモーターを固定するように構成されたことを特徴としている。
【００１２】
かかる構成において、本件発明のピエゾモーター保持部材は、対向する二枚のピエゾ素子の節部のみを保持したことにより、この二枚のピエゾ素子を挟持した状態になる。このため、本件発明のピエゾモーター保持部材は、二枚のピエゾ素子を一面側で固定する場合に比べて安定して固定できる。
【００１３】
また、本件発明のピエゾモーター保持部材は、前記突起は、前記少なくとも二枚のピエゾ素子の各振動の節部のみを圧接して挟持することにより保持したことを特徴としている。
【００１４】
かかる構成において、本件発明のピエゾモーター保持部材は、ピエゾモーターの取り付け作業の際に接着剤を用いなくても良いため、従来のように接着剤を塗布する時間や接着剤を硬化させる時間を必要としない。
【００１５】
また、本件発明のピエゾモーター保持部材は、前記突起は、前記少なくとも二枚のピエゾ素子の各振動の節部のみを接着剤を用いて保持したことを特徴としている。
【００１６】
かかる構成において、本件発明のピエゾモーター保持部材は、ピエゾモーターの節部のみをさらに安定して固定できる。
【００１７】
また、本件発明のピエゾモーター保持部材は、前記ピエゾモーターは、四枚のピエゾ素子を有し、該四枚のピエゾ素子は、前記ナットの外周部の上下左右側に設けられ、前記ピエゾモータ保持部材は、前記四枚のピエゾ素子の内の三枚のピエゾ素子を囲むような形状を有し、前記突起は、当該三枚のピエゾ素子の各振動の節部のみを保持するように構成されたことを特徴としている。
【００１８】
かかる構成において、本件発明のピエゾモーター保持部材は、ピエゾ素子を四枚備えたピエゾモーターの場合でも、対向する二枚のピエゾ素子の節部のみを保持したことにより、この二枚のピエゾ素子を挟持した状態になるため、安定して固定できる。
【発明の効果】
【００１９】
本件発明のピエゾモーター保持部材では、対向する二枚のピエゾ素子の各振動の節部のみを突起により保持した。これにより、二枚のピエゾ素子が挟持された状態になる。このため、本件発明のピエゾモーター保持部材は、二枚のピエゾ素子を一面側で固定する場合に比べて安定して固定できる。よって、本件発明のピエゾモーター保持部材では、ピエゾモーターの性能を低下させずに、ピエゾモーターに対する固定性を高めることができる。
【００２０】
また、本件発明のピエゾモーター保持部材では、対向する二枚のピエゾ素子の各振動の節部のみを突起により圧接して挟持することにより保持した。これにより、本件発明のピエゾモーター保持部材は、ピエゾモーターの取り付け作業の際に接着剤を用いなくても良いため、従来のように接着剤を塗布する時間や接着剤を硬化させる時間を必要としない。したがって、ピエゾモーターの取り付け作業にかかる時間が短縮される。よって、本件発明のピエゾモーター保持部材は、ピエゾモーターの性能を低下させずに、ピエゾモーターの取り付け作業性を高めることができる。
【００２１】
また、本件発明のピエゾモーター保持部材では、対向する二枚のピエゾ素子の各振動の節部のみを突起と接着剤により保持した。したがって、本件発明のピエゾモーター保持部材は、ピエゾモーターをさらに安定して固定できる。よって、本件発明のピエゾモーター保持部材では、ピエゾモーターの性能を低下させずに、ピエゾモーターに対する固定性をさらに高めることができる。
【００２２】
また、本件発明のピエゾモーター保持部材では、ピエゾ素子を四枚備えたピエゾモーターでも、対向する二枚のピエゾ素子の各振動の節部を保持したため、ピエゾモーターを安定して固定できる。よって、本件発明のピエゾモーター保持部材は、ピエゾ素子を四枚備えたピエゾモーターに対しても、ピエゾモーターの性能を低下させずに、ピエゾモーターに対する固定性をさらに高めることができる。
【発明を実施するための最良の形態】
【００２３】
以下、本発明の実施の形態を図にしたがって説明する。
図１は、本件発明の一実施の形態を示す携帯電話１０１の外観図である。この携帯電話１０１は、カメラ機能を備えた携帯電話であり、カメラモジュール１０２を備えている。このカメラモジュール１０２は、箱形に形成されたケース１１０と、このケース１１０内に配設されたレンズユニットと、撮像素子（ＣＣＤ）とを備えている。そして、このカメラモジュール１０２は、ユーザーの操作に応じて、被写体の反射光を撮像素子により結像させて電気信号に変換し、この電気信号をＡ／Ｄコンバーターなどに出力するように構成されている。
【００２４】
図２は、レンズユニット１０の斜視図である。このレンズユニット１０は、第１レンズ群保持枠１１と、第２レンズ群保持枠１２と、レンズ駆動装置１とを備えている。
【００２５】
第１レンズ群保持枠１１及び第２レンズ群保持枠１２は、光軸Ｌに沿って直列に配置されている。そして、第１レンズ群保持枠１１は、前方側（被写体側）に配置されている。この第１レンズ群保持枠１１は、内側に第１レンズ群（図示せず）が保持されるように構成されている。
【００２６】
また、第１レンズ群保持枠１１の外周部１１１には、第１ガイド部材１３が結合されている。この第１ガイド部材１３は、筒型に形成されており、光軸Ｌと平行に配置されている。また、第１レンズ群保持枠１１には、第１回転防止軸用支持部１１２が設けられている。この第１回転防止軸用支持部１１２は、被写体側（または結像側）から視てＵ字状に形成されている。
【００２７】
一方、第２レンズ群保持枠１２は、後方側（結像側）に配置されている。この第２レンズ群保持枠１２は、内側に第２レンズ群（図示せず）が保持されるように構成されている。
【００２８】
また、第２レンズ群保持枠１２の後方側（結像側）には、支持部材１４が結合されている。この支持部材１４は、第２レンズ群保持枠１２が第１レンズ群保持枠１１と共に直列に配置されるように、第２レンズ群保持枠１２を支持する部材である。
【００２９】
また、支持部材１４には、第２ガイド部材１５が結合されている。この第２ガイド部材１５は、筒型に形成されており、光軸Ｌと平行に配置されている。また、支持部材１４には、第２回転防止軸用支持部１４２が設けられている。この第２回転防止軸用支持部１４２は、被写体側（または結像側）から視てＵ字状に形成されている。
【００３０】
そして、レンズ駆動装置１は、第１レンズ群保持枠１１と第２レンズ群保持枠１２とを、それぞれ独立的に駆動するものである。このレンズ駆動装置１は、レンズ群保持枠の移動軌道Ｔの外周領域の右側に配置されている。この移動軌道Ｔは、第１レンズ群保持枠１１及び第２レンズ群保持枠１２が光軸Ｌに沿って移動する円筒状の軌道である。
【００３１】
そして、このレンズ駆動装置１は、第１レンズ群保持枠駆動装置２と、第２レンズ群保持枠駆動装置３と、回転防止軸４と、第１レンズ群保持枠移動距離測定装置５と、第２レンズ群保持枠移動距離測定装置６とを備えている。
【００３２】
回転防止軸４は、双方のレンズ群保持枠１１、１２が光軸方向Ａにスライド移動する際に、双方のレンズ群保持枠１１、１２の回転を防止する部材である。この回転防止軸４は、双方のレンズ群保持枠１１、１２の回転防止軸用支持部１１２、１４２に支持されている。
【００３３】
また、第１レンズ群保持枠移動距離測定装置５は、第１レンズ群保持枠１１の移動距離を測定する装置である。また、第２レンズ群保持枠移動距離測定装置６は、第２レンズ群保持枠１２の移動距離を測定する装置である。
【００３４】
そして、第１レンズ群保持枠駆動装置２は、第１レンズ群保持枠１１を駆動する装置である。この第１レンズ群保持枠駆動装置２は、図２に示すように、第１ガイドポール２０と、第１駆動手段２１と、第１フレキシブルプリント配線板２２とを備えている。
【００３５】
第１ガイドポール２０は、第１レンズ群保持枠１１を光軸方向Ａに移動可能に支持する部材である。この第１ガイドポール２０は、細長い丸棒状に形成されている。そして、この第１ガイドポール２０は、第１ガイド部材１３に挿通して、光軸Ｌと平行に配置されている。また、この第１ガイドポール２０には、第１ガイド部材１３よりも被写体側に、スプリング２０ａが挿通されている。このスプリング２０ａは、第１レンズ群保持枠１１を常に結像側に付勢するように構成されている。
【００３６】
一方、第１駆動手段２１は、第１ピエゾモーター２３と、第１ピエゾモーター保持部材２４とを備えている。第１ピエゾモーター２３は、リードスクリュー２３１と、ナット２３２と、四枚のピエゾ素子２３３とを備えている。
【００３７】
リードスクリュー２３１は、光軸Ｌと平行に配置されている。また、ナット２３２は、リードスクリュー２３１に螺合されている。また、四枚のピエゾ素子２３３は、ナット２３２の外周部の上下左右側に設けられている。
【００３８】
また、第１フレキシブルプリント配線板２２は、第１ピエゾモーター２３に駆動電源及び制御信号を供給するものである。この第１フレキシブルプリント配線板２２は、図３に示すように、一方側の端子部２２１が第１ピエゾモーター２３に接続して、他端側が電源及び制御部（図示せず）に接続している。
【００３９】
また、第１ピエゾモーター保持部材２４は、第１ピエゾモーター２３から出力される駆動力を利用して、第１レンズ群保持枠１１を移動させる部材である。この第１ピエゾモーター保持部材２４は、第１レンズ群保持枠１１の外周部１１１に結合されている。
【００４０】
そして、この第１ピエゾモーター保持部材２４は、光軸方向Ａに長く形成されている。さらに、この第１ピエゾモーター保持部材２４は、第１ピエゾモーター２３が、第１フレキシブルプリント配線板２２に接続された状態で収容されるように構成されている。
【００４１】
また、第１ピエゾモーター保持部材２４は、第１ピエゾモーター２３の三枚のピエゾ素子２３３（図３の左右側及び下側のピエゾ素子２３３）を囲むように構成されている。具体的には、第１ピエゾモーター保持部材２４は、図４に示すように、被写体側（または結像側）から視て略凹字状に形成されている。
【００４２】
そして、図４において、第１ピエゾモーター保持部材２４の内壁面２４ａには、第１突起２４１と、左右一対の第２突起２４２，２４２が設けられている。これらの突起２４１、２４２，２４２は、第１ピエゾモーター保持部材２４の前後方向（光軸方向Ａ）に並んで配置されている。
【００４３】
第１突起２４１は、内壁面２４ａの被写体側に設けられている。さらに、この第１突起２４１は、図３に示すように、第１ピエゾモーター２３が第１ピエゾモーター保持部材２４の内部に収容された状態で、三枚のピエゾ素子２３３の被写体側の振動の節部２３３ａのみを保持するように設けられている。なお、図３では、左右側のピエゾ素子２３３の各振動の節部２３３ａを示している。
【００４４】
第１突起２４１について具体的に説明する。図４に示すように、この第１突起２４１は、被写体側（または結像側）から視て略凹字状に形成されている。さらに、この第１突起２４１は、左右側部２４１ａ、２４１ａ間の幅２４１ｗが、第１ピエゾモーター２３の横幅２３ｗ（図３参照）よりもやや小さく設定されている。さらに、第１ピエゾモーター保持部材２４は弾性部材から構成されている。
【００４５】
したがって、第１ピエゾモーター２３を第１突起２４１の間に挿入すると、第１突起２４１の左右側部２４１ａ、２４１ａは、弾性力を利用して、左右に対向する二枚のピエゾ素子２３３、２３３の被写体側を圧接して挟持するように構成されている。また、下側のピエゾ素子２３３の被写体側は、第１突起２４１の底部２４１ｂに当接する。この底部２４１ｂは、第１ピエゾモーター２３の設置位置を決めている。
【００４６】
一方、図４に示すように、双方の第２突起２４２，２４２は、内壁面２４ａの結像体側に設けられている。さらに、双方の第２突起２４２，２４２は、図３に示すように、第１ピエゾモーター２３が第１ピエゾモーター保持部材２４の内部に収容された状態で、三枚のピエゾ素子２３３の結像側の振動の節部２３３ｂのみを保持するように設けられている。なお、図３では、左側のピエゾ素子２３３の節部２３３ｂを示している。
【００４７】
具体的には、左側の第２突起２４２は、左側のピエゾ素子２３３の節部２３３ｂ及び、下側のピエゾ素子の２３３の節部の左側部分に当接する位置に配置されている。そして、図４に示すように、左側の第２突起２４２は、被写体側（または結像側）から視て略Ｌ字状に形成されている。
【００４８】
また、右側の第２突起２４２は、右側のピエゾ素子２３３の節部及び下側のピエゾ素子の２３３の節部の右側部分に当接する位置に配置されている。そして、右側の第２突起２４３は、被写体側（または結像側）から視て、左側の第２突起２４２と左右対称な略逆Ｌ字状に形成されている。
【００４９】
そして、双方の第２突起２４２，２４２間の幅２４２ｗが、第１ピエゾモーター２３の横幅２３ｗ（図３参照）よりもやや小さく設定されている。したがって、第１ピエゾモーター２３を第２突起２４２，２４２の間に挿入すると、双方の第２突起２４２，２４２は、弾性力を利用して、左右に対向する二枚のピエゾ素子２３３、２３３の結像側を圧接して挟持するように構成されている。また、下側のピエゾ素子２３３の結像側は、双方の第２突起２４２の底部２４２ｂに当接する。この底部２４２ｂは、第１ピエゾモーター２３の設置位置を決めている。
【００５０】
そして、第１ピエゾモーター２３は、三枚のピエゾ素子２３３の各節部２３３ａのみが双方の突起２４１、２４２，２４２に保持されている。さらに、左右に対向する二枚のピエゾ素子２３３の各節部２３３ａのみが、双方の突起２４１、２４２，２４２に圧接して挟持されている。これにより、第１ピエゾモーター２３は、これらの節部２３３ａのみで第１ピエゾモーター保持部材２４に固定されている。
【００５１】
次に、第１レンズ群保持枠駆動装置２による第１レンズ群保持枠１１の駆動方法を説明する。まず、電源及び制御部から、第１フレキシブルプリント配線板２２を介して、各ピエゾ素子２３３に駆動電源及び制御信号が供給される。これにより、各ピエゾ素子２３３が振動して、リードスクリュー２３１が正逆方向に回転する。このリードスクリュー２３１の回転によって、ナット２３２はリードスクリュー２３１上を移動する。これに伴って第１ピエゾモーター保持部材２４が光軸方向Ａに移動するとともに、第１レンズ群保持枠１１が、第１ガイドポール２０に沿って光軸方向Ａにスライド移動する。
【００５２】
一方、図１に示すように、第２レンズ群保持枠駆動装置３は、第２レンズ群保持枠１２を駆動する装置である。この第２レンズ群保持枠駆動装置３は、第２ガイドポール３０と、第２駆動手段３１と、第２フレキシブルプリント配線板３２とを備えている。
【００５３】
第２ガイドポール３０は、第２レンズ群保持枠１２を光軸方向Ａに移動可能に支持する部材である。この第２ガイドポール３０は、細長い丸棒状に形成されている。そして、この第２ガイドポール３０は、第２ガイド部材１５に挿通して、光軸Ｌと平行に配置されている。また、この第２ガイドポール３０には、第２ガイド部材１５よりも結像側に、スプリング３０ａが挿通されている。このスプリング３０ａは、第２レンズ群保持枠１２を常に被写体側に付勢するように構成されている。
【００５４】
一方、第２駆動手段３１は、第２ピエゾモーター３３と、第２ピエゾモーター保持部材３４とを備えている。第２ピエゾモーター３３は、リードスクリュー３３１と、ナット３３２と、四枚のピエゾ素子３３３とを備えている。
【００５５】
リードスクリュー３３１は、光軸Ｌと平行に配置されている。また、ナット３３２は、リードスクリュー３３１に螺合されている。また、四枚のピエゾ素子３３３は、ナット３３２の外周部の上下左右側に設けられている。
【００５６】
また、第２フレキシブルプリント配線板３２は、第２ピエゾモーター３３に制御信号及び駆動電源を供給するものである。この第２フレキシブルプリント配線板３２は、一方側の端子部が第２ピエゾモーター３３に接続して、他端側が電源及び制御部（図示せず）に接続している。
【００５７】
また、第２ピエゾモーター保持部材３４は、第２ピエゾモーター３３から出力される駆動力を利用して第２レンズ群保持枠１２を移動させる部材である。この第２ピエゾモーター保持部材３４は、第２ガイド部材１５を介して第２レンズ群保持枠１２に結合されている。
【００５８】
そして、この第２ピエゾモーター保持部材３４は、光軸方向Ａに長く形成されている。さらに、この第２ピエゾモーター保持部材３４は、第２ピエゾモーター３３が、第２フレキシブルプリント配線板３２に接続された状態で収容されるように構成されている。
【００５９】
また、第２ピエゾモーター保持部材３４は、第２ピエゾモーター３３の三枚のピエゾ素子３３３（左右側及び上側のピエゾ素子３３３）を囲むように構成されている。具体的には、この第２ピエゾモーター保持部材３４は、被写体側（または結像側）から視て、第１ピエゾモーター保持部材２４と上下対称な略逆凹字状に形成されている。
【００６０】
そして、第２ピエゾモーター保持部材３４の内壁面３４ａには、突起が設けられている。この突起は、図示しないが、第１ピエゾモーター保持部材２４に設けられた突起２４１、２４２，２４２（図４参照）と同じものである。
【００６１】
すなわち、第２ピエゾモーター保持部材３４に設けられた突起は、第２ピエゾモーター３３において、三枚のピエゾ素子３３３の振動の節部のみを保持している。さらに、この突起は、左右に対向する二枚のピエゾ素子３３３の振動の節部のみを圧接して挟持している。ここで、これらの節部は、第１ピエゾモーター２３の節部２３３ａ、２３３ｂと同じものである。そして、第２ピエゾモーター３３は、三枚のピエゾ素子３３３の各節部のみが突起に保持されることにより、これらの節部のみで第２ピエゾモーター保持部材３４に固定されている。
【００６２】
次に、第２レンズ群保持枠駆動装置３による第２レンズ群保持枠１２の駆動方法を説明する。まず、電源及び制御部から、第２フレキシブルプリント配線板３２を介して、各ピエゾ素子３３３に駆動電源及び制御信号が供給される。これにより、各ピエゾ素子３３３が振動して、リードスクリュー３３１が正逆方向に回転する。このリードスクリュー３３１の回転により、ナット３３２がリードスクリュー３３１上を移動する。これに伴って第２ピエゾモーター保持部材３４が光軸方向Ａに移動するとともに、第２レンズ群保持枠１１が、第２ガイドポールに沿って光軸方向Ａにスライド移動する。
【００６３】
かかる構成において、本実施の形態のピエゾモーター保持部材２４、３４では、三枚のピエゾ素子２３３、３３３の各振動の節部のみを突起により保持した。これにより、対向する二枚のピエゾ素子２３３，２３３、３３３，３３３が挟持された状態になる。このため、本実施の形態のピエゾモーター保持部材２４、３４は、二枚のピエゾ素子２３３，２３３、３３３，３３３を一面側で固定する場合に比べて安定して固定できる。よって、本実施の形態のピエゾモーター保持部材２４、３４は、ピエゾモーター２３、３３の性能を低下させずに、ピエゾモーター２３、３３に対する固定性を高めることができる。
【００６４】
さらに、本件発明のピエゾモーター保持部材２４、３４では、対向する二枚のピエゾ素子２３３，２３３、３３３，３３３の各振動の節部のみを突起により圧接して挟持した。これにより、本実施の形態のピエゾモーター保持部材２４、３４は、ピエゾモーター２３、３３の取り付け作業の際に接着剤を用いなくても良い。
【００６５】
したがって、本実施の形態のピエゾモーター保持部材２４、３４では、従来のように接着剤を塗布する時間や接着剤を硬化させる時間を必要としないので、ピエゾモーター２３、３３の取り付け作業にかかる時間が短縮される。よって、本実施の形態のピエゾモーター保持部材２４、３４は、ピエゾモーター２３、３３の性能（レンズ群保持枠１１、１２の駆動能力）を低下させずに、ピエゾモーター２３、３３の取り付け作業性を高めることができる。
【００６６】
なお、本実施の形態では、ピエゾ素子２３３、３３３を四枚備えたピエゾモーター２３、３３に対して本件発明を適用した。しかし、本件発明は、本実施の形態で説明したピエゾモーター２３、３３に限定されない。つまり、本件発明は、二枚のピエゾ素子がナットの外周部の対向側（上下側又は左右側）に設けられたピエゾモーター全般に適用できる。また、ピエゾモーター保持部材の形状は、少なくともピエゾモーターを内部に収容可能な構成であれば良い。
【００６７】
なお、本実施の形態で説明した以外でも、本件発明のピエゾモーター保持部材では、対向する二枚のピエゾ素子の各振動の節部のみを突起と接着剤とを用いて保持しても良い。この場合のピエゾモーター保持部材は、ピエゾモーターをさらに安定して固定できるので、ピエゾモーターの性能を低下させずに、ピエゾモーターに対する固定性をさらに高めることができる。
【００６８】
また、本実施の形態では、撮像装置用のレンズ群保持枠を１１、１２を駆動する保持部材２４、３４に本件発明を適用した。しかし、本件発明の用途は、レンズ群保持枠１１、１２用に限定する必要はない。つまり、本件発明は、ピエゾモーターを用いて、被駆動物をスライド移動させる部材に対して適用することができる。
【産業上の利用可能性】
【００６９】
以上説明したように、本件発明のピエゾモーター保持部材は、少なくとも二枚のピエゾ素子が対向しているピエゾモーターに対して、ピエゾモーターの性能を低下させずに、ピエゾモーターに対する固定性を高めることができる。したがって、本件発明は、ピエゾモーター保持部材の技術分野において十分に利用することができる。
【図面の簡単な説明】
【００７０】
【図１】本件発明の一実施の形態を示す携帯電話の外観図である。
【図２】同実施の形態を示すレンズユニットの斜視図である。
【図３】図２において第１ピエゾモーター保持部材を中心とした要部斜視図である。
【図４】図３から第１ピエゾーモーター及び第１フレキシブルプリント配線板を除いた斜視図である。
【符号の説明】
【００７１】
１１    第１レンズ群保持枠
１２    第２レンズ群保持枠
２３    第１ピエゾモーター
２４    第１ピエゾモーター保持部材
２４ａ    内壁面
３３    第２ピエゾモーター
３４    第２ピエゾモーター保持部材
３４ａ    内壁面
２３１    リードスクリュー
２３２    ナット
２３３    ピエゾ素子
２３３ａ    節部
２３３ｂ    節部
２４１    第１突起
２４２    第２突起
３３１    リードスクリュー
３３２    ナット
３３３    ピエゾ素子
Ｌ    光軸
【図１】
2008167605.tif 000003
【図２】
2008167605.tif 000004
【図３】
2008167605.tif 000005
【図４】
2008167605.tif 000006